(57)【特許請求の範囲】
【請求項１】
シャーシベース板部の両側に相対向するシャーシ側板部が夫々折り曲げられたシャーシと、このシャーシの長手方向両端部に夫々取付けられるソケット取付け金具とを具備し、前記取付け金具が、前記シャーシ側板部の内面に重ねられる一対の金具側板部、およびこれら側板部を一体に連続させる金具べース板部を有し、前記金具側板部を前記シャーシ側板部に夫々爪係合させて、前記ソケット取付け金具を前記シャーシに取付けた照明器具において、
前記シャーシ側板部の長手方向両端部に、その端面に開放される爪係合凹部を夫々設けるとともに、この凹部よりも前記シャーシ側板部の長手方向中央部側に位置してスリット状の爪係合孔を夫々設け、
前記金具側板部に、前記爪係合凹部に係合される第１係合爪を夫々前記金具側板部の外面に突出させて設けるとともに、前記爪係合孔に係合される第２係合爪を夫々前記金具側板部の外面に突出させて設け、前記第１係合爪を、平板状に形成して前記金具側板部に対して直角に折り曲げて前記第２係合爪よりも長く突出させ、かつ、前記第２係合爪の下端面が先端に向かうに従い次第に上向きとなるテーパを有しており、
前記第１係合爪を前記爪係合凹部に係合させた状態で、この係合部を支点として前記ソケット取付け金具を前記シャーシの内側に回動させることにより、前記第２係合爪を前記爪係合孔に係合させて、前記ソケット取付け金具を前記シャーシに取付けることを特徴とする照明器具。
【発明の詳細な説明】
【０００１】
【発明の属する技術分野】
本発明は、直管形けい光ランプを支持するランプソケットが取付けられるソケット取付け金具を、シャーシの長手方向両端部に夫々爪係合により取付けるようにした照明器具に関する。
【０００２】
【従来の技術】
例えば天井直付け式逆富士形照明器具等のシャーシの長手方向両端部には夫々ソケット取付け金具が取付けられており、その組立てにおいて爪係合によりソケット取付け金具をシャーシに取付ける構造は、ソケット取付け金具を固定する部品等を必要としない点で優れており、そうしたソケット取付け金具の取付け構造の従来例が図８および図９に示されている。
【０００３】
これらの図中１は、シャーシであって、そのシャーシベース板部１ａの両側に相対向するシャーシ側板部１ｂを折り曲げてなる。このシャーシ１の長手方向の端部において側板部１ｂには、スリット状をなして上下方向に延びる一対の爪係合孔２、３が夫々形成されている。
【０００４】
また、図８および図９中４はソケット取付け金具である。この金具４は、相対向する一対の金具側板部５、およびこれら側板部５を一体に連続させる金具べース板部６を有しており、例えば金具ベース板部６にはランプソケット７が取付けられるようになっている。さらに、両金具側板部５の先端部にはその幅方向両端から外向きに突出する一対の係合爪８、９が夫々折り曲げられている。
【０００５】
このソケット取付け金具４はシャーシ１の端部に手作業により配置される。この取付け作業は、図８等に示されるようにシャーシ１の端部上にソケット取付け金具４を位置させ、目見当で合計４か所の爪係合孔２、３に対して４つの係合爪８、９を夫々位置合わせしながら、金具側板部５の先端側がシャーシ側板部１ｂの内面に重なるようにソケット取付け金具４をシャーシ１の端部の内側に押し込む（図８中矢印は押し込み方向を示している。）ことにより行われる。
【０００６】
それにより、係合爪８、９が、シャーシ側板部１ｂを弾性変形させながらシャーシ側板部１ｂの上縁部を乗越え、その直後に、対応する爪係合孔２、３を外側に通ってこれらに夫々係合され、したがって、シャーシ１の端部にソケット取付け金具４が取付けられる。
【０００７】
また、こうした後に、爪係合孔２、３を貫通した係合爪８、９が、夫々かしめ加工によりシャーシ側板部１ｂの外面に沿うように折り曲げられて、ソケット取付け金具４が外れないように固定される（図９参照）。
【０００８】
【発明が解決しようとする課題】
前記のように従来のものは、シャーシ１の端部内側にソケット取付け金具４を押し込む際に、これら両者が何等の結合関係を持っていないので、組立てにあたってシャーシ１の合計４か所の爪係合孔２、３とソケット取付け金具４の４つの係合爪８、９とを、夫々目見当で位置合わすることを余儀なくされている。そのため、シャーシ１の端部へのソケット取付け金具４の取付けに手間が掛かり易いという問題がある。
【０００９】
したがって、本発明が解決しようとする課題は、シャーシへのソケット取付け金具の取付け作業性を向上できるようにした照明器具を得ることにある。
【００１０】
【課題を解決するための手段】
本発明は、シャーシベース板部の両側に相対向するシャーシ側板部が夫々折り曲げられたシャーシと、このシャーシの長手方向両端部に夫々取付けられるソケット取付け金具とを具備し、前記取付け金具が、前記シャーシ側板部の内面に重ねられる一対の金具側板部、およびこれら側板部を一体に連続させる金具べース板部を有し、前記金具側板部を前記シャーシ側板部に夫々爪係合させて、前記ソケット取付け金具を前記シャーシに取付けた照明器具を前提とする。
【００１１】
そして、前記課題を解決するために、請求項１の発明は、前記シャーシ側板部の長手方向両端部に、その端面に開放される爪係合凹部を夫々設けるとともに、この凹部よりも前記シャーシ側板部の長手方向中央部側に位置してスリット状の爪係合孔を夫々設け、前記金具側板部に、前記爪係合凹部に係合される第１係合爪を夫々前記金具側板部の外面に突出させて設けるとともに、前記爪係合孔に係合される第２係合爪を夫々前記金具側板部の外面に突出させて設け、前記第１係合爪を、平板状に形成して前記金具側板部に対して直角に折り曲げて前記第２係合爪よりも長く突出させ、かつ、前記第２係合爪の下端面が先端に向かうに従い次第に上向きとなるテーパを有しており、前記第１係合爪を前記爪係合凹部に係合させた状態で、この係合部を支点として前記ソケット取付け金具を前記シャーシの内側に回動させることにより、前記第２係合爪を前記爪係合孔に係合させて、前記ソケット取付け金具を前記シャーシに取付けることを特徴とするものである。
【００１２】
請求項１の発明において、爪係合凹部とこれに引掛けて係合される第１係合爪とは、互いの係合により、シャーシの端部にソケット取付け金具を取付ける基準となる結合関係をシャーシとソケット取付け金具との両者に持たせて、ソケット取付け金具をシャーシの端部内側に押し込む作業を、爪係合凹部と第１係合爪との係合部を支点として行わせることができる。
【００１３】
それにより、第２係合爪を爪係合孔に対して格別に位置合わせする手間を要することなく、これらを確実に係合させることができる。しかも、前記爪係合凹部への第１係合爪の係合は、爪係合凹部がシャーシ側板部の端面に開放されていることから、見当間違いもなく容易に引掛けて係合させることができる。更に、シャーシ側板部を第２係合爪が押し開く際に、第２係合爪がシャーシ側板部に引っ掛かってしまうことがなく、円滑に前記押し開きを実現できるとともに、シャーシ側板部の押し開きに拘らず、第２係合爪よりも長い第１係合爪と爪係合凹部との係合が外れてしまう恐れがない。したがって、シャーシの端部にソケット取付け金具を取付ける作業を、以上のように爪係合凹部に第１係合爪を係合させるのに引き続いてソケット取付け金具を回動させるという一挙動で行うことができる。
【００１４】
【発明の実施の形態】
以下、図１〜図６を参照して本発明の第１の実施の形態を説明する。
図１（Ａ）（Ｂ）は第１の実施形態に係る天井直付け式逆富士形照明器具全体の構成を示す断面図であって、この図に示されるようにこの照明器具は、シャーシ１１と、２本の直管形けい光ランプ１２を支持する偶数個のランプソケット１３と、これらソケット１３が固定される２個の２灯用ソケット取付け金具１４（一方のみ図示）と、反射板１５等を備えている。
【００１５】
板金製のシャーシ１１は、水平状のシャーシベース板部１６の両側縁に下向きに突出するシャーシ側板部１７を夫々略直角に折り曲げて、下面が開放された断面略コ字形をなす樋状に形成されている。このシャーシ１１は、シャーシベース板部１６を下方から挿通して天井に螺合される図示しないねじを介して天井に直付けされる。図１中１６ａはシャーシベース板部１６の複数箇所を上側に膨出させて形成されたスペーサ凸部であって、これらの先端が天井に当接されるようになっている。シャーシべース板部１６の下面には、複数の反射板取付け台２６（一方のみ図示）、およびいずれも図示しないが放電灯安定器等の点灯装置、端子台などが夫々取付けられている。
【００１６】
シャーシ側板部１７の先端側は筒状をなして内側に折り返されており、したがって、シャーシ側板部１７の先端は丸みを帯びて形成されている。図２〜図６に示されるようにシャーシ１１におけるシャーシ側板部１７には、その端面に開放される爪係合凹部１８が夫々設けられているとともに、この凹部１８よりもシャーシ側板部１７の長手方向中央部側に位置して爪係合孔１９が夫々設けられている。これら爪係合凹部１８および爪係合孔１９はいずれもシャーシ側板部１７の筒状部を避けてシャーシべース板部１６側の平板部分に形成されている。シャーシ１１の幅方向に相対向する爪係合凹部１８はコの字形状の切り欠きからなる。同様にシャーシ１１の幅方向に相対向する爪係合孔１９は上下方向に延びるスリットからなる。
【００１７】
シャーシ１１の長手方向両端部には夫々金属製のソケット取付け金具１４が、後述のようにねじなどの固定具を用いたり、溶接止めによることなく爪係合により取付けられている。図１、図３〜図６に示されるようにソケット取付け金具１４は、シャーシ側板部１７の内面に重ねられる一対の金具側板部２０と、これら側板部２０を一体に連続させる金具べース板部２１と、ソケット取付け部２２とから形成された一体のプレス成型品である。このソケット取付け金具１４を構成する板金の厚みはシャーシ１１を構成する板金の厚みよりも大きく、したがって、シャーシ１１よりも強度が大きく変形しずらくなっている。
【００１８】
両金具側板部２０はシャーシ側板部１７よりも長く上下方向に延びる板部である。これら側板部２０の上端に直角に折れ曲がって両側板部２０を一体につないだ金具ベース板部２１は、水平状に設けられていて、両側板部２０とともにコ字状の主部をなしている。ソケット取付け部２２は、金具側板部２０の下端から外方であって、かつ、斜め上方に向けて一体に折り曲げられている。
【００１９】
ソケット取付け金具１４の両金具側板部２０の幅方向両側縁には、補強のためのフランジ２０ａ、２０ｂが外面に突出して直角に折り曲げられている。さらに、両側板部２０にはその外面に夫々突出する第１係合爪２３と第２係合爪２４とが設けられている。第１係合爪２３の方が第２係合爪２４よりも長く突出されている。
【００２０】
第１係合爪２３は、シャーシ１１にソケット取付け金具１４を取付けた際にシャーシ１１の長手方向の端面部に位置される一方のフランジ２０ａの下端部から一体に突設されている。この第１係合爪２３の突出基部は括れており（符号２３ａで括れを示す。）、それによって折り曲げが容易にできるようにしてある。第２係合爪２４は、シャーシ１１にソケット取付け金具１４を取付けた際に前記第１係合爪２３よりもシャーシ１１の中央部側に位置される他方のフランジ２０ｂの下端部から一体に突設されている。この第２係合爪２４の下端面２４ａは先端に向かうに従い次第に上向きとなるテーパを有している。
【００２１】
なお、本発明において両係合爪２３、２４は前記フランジ２０、２０ｂではなく、金具側板部２０の一部を切り起こして形成してもよいが、この第１の実施の形態の構成のようにする場合には、第１係合爪２３をソケット取付け金具１４の幅方向一端に設けることができるので、爪係合凹部１８の切欠深さを浅くできる。したがって、ソケット取付け金具１４をシャーシ１１の長手方向の端部に対して可能な限り長手方向端面側に寄せて取付けることができる点で優れている。
【００２２】
前記構成のソケット取付け金具１４は次のような手作業によりシャーシ１１の長手方向の端部に取付けられる。まず、図５に示すようにシャーシ１１の爪係合凹部１８にソケット取付け金具１４の第１係合爪２３を斜めに引掛けて係合させる。こうしたシャーシ１１とソケット取付け金具１４との組み合わせにより、シャーシ１１の端部にソケット取付け金具１４を取付ける基準となる結合関係を得ることができる。次に、前記係合状態を保ったままで、爪係合凹部１８と第１係合爪２３との係合部を回動支点として、図５中矢印に示すようにソケット取付け金具１４を回動させて、ソケット取付け金具１４をシャーシ１１の端部内側に嵌まり込むように押し込む。
【００２３】
そうすると、第２係合爪２４がシャーシ側板部１７の筒状部に当たって、このシャーシ側板部１７をその弾性力に抗して押し開きながら前記筒状部を通過し、その直後、シャーシ側板部１７が弾性復帰するに伴い爪係合孔１９を外方に挿通してこの孔１９に係合される。こうして、第１係合爪２３と爪係合凹部１８との係合下において、第２係合爪２４が爪係合孔１９に係合されて、ソケット取付け金具１４がシャーシ１１の長手方向の端部に取付けられる。この取付け状態は図３および図６等に示されている。
【００２４】
以上の取付け作業において、爪係合凹部１８への第１係合爪２３の係合は、爪係合凹部１８がシャーシ側板部１７の端面に開放されていることから、見当間違いをすることなく容易に係合させることができる。その上、これら爪係合凹部１８と第１係合爪２３との係合により、シャーシ１１の端部に対してソケット取付け金具１４を位置決めしてシャーシ１１内側への前記の押し込み操作をすることができるので、第２係合爪２４を爪係合孔１９に対して格別に位置合わせする手間を要することなく、これらを前記回動を伴う押し込み操作により確実に係合させることができる。
【００２５】
したがって、既述のように爪係合凹部１８に第１係合爪２３を係合させるのに引き続いてソケット取付け金具１４を回動させるという一挙動で、シャーシ１１の端部にソケット取付け金具１４を爪係合により取付けることができるから、その作業が容易である。
【００２６】
しかも、シャーシ側板部１７の先端部が丸みを帯びているとともに、第２係合爪２４の下端面２４ａがテーパを持っているので、シャーシ側板部１７を第２係合爪２４が押し開く際に、第２係合爪２４がシャーシ側板部１７に引っ掛かってしまうことがなく、円滑に前記押し開きを実現して、ソケット取付け金具１４を取付けることができる。なお、第１係合爪２３は第２係合爪２４よりも長いので、シャーシ側板部１７の押し開きに拘らず、第１係合爪２３と爪係合凹部１８との係合が外れてしまう恐れはない。
【００２７】
また、こうしたシャーシ取付け金具１４の取付後において、その取付状態をより確実に保持するために、第１、第２係合爪２３、２４の内の少なくとも一方を、シャーシ側板部１７の外面に沿うように折り曲げるとよく、その際第１係合爪２３を図３に示すように折り曲げる場合には、第１係合爪２３が括れ２３ａを有していることにより、容易に折り曲げることができる。
【００２８】
図３〜図４に示されるように取付けられたソケット取付け金具１４のソケット取付け部２２には夫々ソケット取付け孔２２ａが設けられており、この孔２２ａの縁部にランプソケット１３を係合して、このソケット１３がソケット取付け金具１４をその厚み方向に通って取付けられている。なお、図１（Ａ）中１３ａは図示しない接触端子ばねで裏面側から付勢された口金受けであって、それが有した一対のランプピン通孔１３ｂに挿入されるランプピンが前記接触端子ばねに接触されるようになっている。さらに、図１（Ａ）中１３ｃはランプソケット１３内において自己鎖錠される図示しない器具内配線の差し込み孔である。
【００２９】
図１に示されるように金属板からなる反射板１５は、断面Ｖ字状をなすとともに、長手方向両端に夫々図示しない端板を設けて、上面が開放された構造をなしている。この反射板１５は、そのＶ字部の先端を下側から挿通して前記反射板取付け台２６に螺合される複数の化粧ねじ２５を介して取付けられ、シャーシ１１全体を覆い隠している。反射板１５の上端開口縁は天井に当接されるようになっている。
【００３０】
この反射板１５の長手方向両端部には一対の図示しないソケット通孔が夫々設けられていて、これらの通孔を通って前記ランプソケット１３が斜め下方に突出されている。反射板１５の長手方向に対応して配置されたランプソケット１３間には反射板１５の傾斜面と対向してけい光ランプ１２が着脱可能に取付けられるようになっている。
【００３１】
図７は本発明の第２の実施の形態の要部を示している。この第２の実施の形態に係る照明器具は１灯用のものであり、その関係でソケット取付け金具の構成のみが前記第１の実施の形態とは異なり、それ以外の構成は図７に図示されない部分を含めて図１〜図６に示された前記第１の実施の形態の照明器具と同一ないしは同様な構成である。そのため、図示されない構成については図１〜図６をもって代用するとともに、図示される同一ないしは同様な構成部分には第１の実施の形態と同一の符号を付して、それらの構成の説明およびそれに基づく作用効果の説明については省略するが、これら同一ないしは同様な構成部分についても第２の実施の形態に係る天井直付け式逆富士形照明器具の構成の一部をなすものである。
【００３２】
この第２の実施の形態において、シャーシ１１よりも強度が大きいプレス成型品からなるソケット取付け金具１４は、シャーシ側板部１７の内面に重ねられる一対の金具側板部２０と、これら側板部２０の下端（なお、組立て状態では図７に示されるように上端）に直角に折れ曲がって両側板部２０を一体につないだ水平状の金具ベース板部２１とから、コ字状をなして形成されている。第１、第２の係合爪２３、２４は、金具側板部２０の幅方向の両端から外方に折り曲げられて夫々突設されている。金具ベース板部２１にはソケット取付け孔２２ａが設けられていて、このベース板部２１はソケット取付け部を兼ねている。そして、ソケット取付け孔２２ａの縁部にランプソケットを係合して、このソケットがソケット取付け金具１４をその厚み方向に通って取付けられるようになっている。
【００３３】
また、こうした１灯用のソケット取付け金具１４を設けたことに応じて図示しない反射板には、水平な底板部の両側に斜状の側板部を夫々折り曲げるとともに、長手方向両端を端板で閉鎖して、上面が開放された構造のものが採用され、前記底板部の長手方向両端部に開けられたソケット通孔にランプソケットが通されるようになっている。なお、以上の点以外の構成は前記第１の実施の形態と同じである。
【００３４】
したがって、この第２の実施の形態においても、ソケット取付け金具１４の金具側板部２０に設けた第１、第２の係合爪２３、２４と、シャーシ側板部１７に設けた爪係合凹部１８と爪係合孔１９とによって、第１係合爪２３を爪係合凹部１８に引掛けて係合させて、シャーシ１１とソケット取付け金具１４とに結合関係を持たせた状態で、この係合部を回動支点としてソケット取付け金具１４をシャーシ１１の内側に嵌まり込むように回動させることにより、第２係合爪２４を爪係合孔１９に係合させて、ソケット取付け金具１４をシャーシ１１に取付けることができる。したがって、この第２の実施の形態においても、前記第１の実施の形態と同様の作用を得て、本発明の課題を解決できるものである。
【００３５】
【発明の効果】
本発明は、以上説明したような形態で実施され、以下に記載されるような効果を奏する。
【００３６】
請求項１の発明によれば、シャーシの端部にソケット取付け金具を取付けるのに、シャーシの爪係合凹部へのソケット取付け金具の第１係合爪の係合に引き続いてソケット取付け金具を回動させることにより、シャーシの爪係合孔にソケット取付け金具の第２係合爪を係合させてソケット取付金具をシャーシに取付けることができるから、その取付け操作が一挙動で済むとともに目見当での位置合わせが不要である。しかも、シャーシ側板部を第２係合爪が押し開く際に、第２係合爪がシャーシ側板部に引っ掛かってしまうことがなく、円滑に前記押し開きを実現できるとともに、シャーシ側板部の押し開きに拘らず、第２係合爪よりも長い第１係合爪と爪係合凹部との係合が外れてしまう恐れがない。したがって、シャーシの端部に対するソケット取付け金具の取付け作業性を向上できる。
【図面の簡単な説明】
【図１】（Ａ）は本発明の第１の実施の形態に係る天井直付け式逆富士形照明器具の構成を器具中央部側から器具の端部方向を見て示す断面図。
（Ｂ）は第１の実施の形態に係る照明器具の構成を器具端面側から器具中央部方向を見て示す断面図。
【図２】（Ａ）は第１の実施の形態に係る照明器具が備えるシャーシの端部の構造を示す側面図。
（Ｂ）は第１の実施の形態に係る照明器具が備えるシャーシの端部の構造を示す下面図。
【図３】第１の実施の形態に係る照明器具が備えるシャーシとソケット取付け金具との組立て完了状態を一部断面して示す平面図。
【図４】第１の実施の形態に係る照明器具が備えるシャーシの端部とそこに取付けられるソケット取付け金具とを分解して示す斜視図。
【図５】第１の実施の形態に係る照明器具が備えるシャーシの端部へのソケット取付け金具の取付け方を示す斜視図。
【図６】第１の実施の形態に係る照明器具が備えるシャーシとソケット取付け金具との組立て完了状態を示す斜視図。
【図７】本発明の第２の実施の形態に係る照明器具が備えるシャーシの端部とそこに取付けられるソケット取付け金具とを分解して示す斜視図。
【図８】従来例に係る照明器具が備えるシャーシの端部とそこに取付けられるソケット取付け金具とを分解して示す斜視図。
【図９】（Ａ）は従来例に係る照明器具が備えるシャーシの端部にソケット取付け金具が取付けられた状態を示す側面図。
（Ｂ）は図９（Ａ）中矢印Ｚ方向から見て示す図。
【符号の説明】
１１…シャーシ、
１３…ランプソケット、
１４…ソケット取付け金具、
１５…反射板、
１７…シャーシ側板部、
１８…爪係合凹部、
１９…爪係合孔、
２０…金具側板部、
２１…金具ベース板部、
２３…第１係合爪、
２４…第２係合爪。
【図１】
0003879145.tif 000002
【図２】
0003879145.tif 000003
【図３】
0003879145.tif 000004
【図４】
0003879145.tif 000005
【図５】
0003879145.tif 000006
【図６】
0003879145.tif 000007
【図７】
0003879145.tif 000008
【図８】
0003879145.tif 000009
【図９】
0003879145.tif 000010